(57)【要約】【課題】  ラック底部の通線穴や通気穴を塞でしまうことがないラック設置ベースを提供する。【解決手段】  架台１２に、平面三角形の支持枠１５と３本の脚部とを設ける。複数の架台１２をラック１の配列方向に連設し、支持枠１５の底辺部をラック１の後側で一列に並べ、支持枠１５の頂点部をラック１の前側で互いに離間させる。架台１２は、隣接する２台のラック１を掛け持ちするように配置され、支持枠１５の頂点部で２台のラック１の前端を支持し、支持枠１５の底辺部で２台のラック１の後端を支持する。支持枠１５の２本の斜辺部は、両方のラック１の底枠に対して斜めに配置される。【選択図】        図１
2014053377.tif 000002
【特許請求の範囲】
【請求項１】
ラックを支持する架台を備え、架台に平面三角形の支持枠と脚部とを設け、複数の架台を、支持枠の底辺部が一列に並び、支持枠の頂点部が互いに離間する状態で、ラックの配列方向に連設したことを特徴とするラック設置ベース。
【請求項２】
一つの架台が隣接する２台のラックを掛け持ちするように配置される請求項１記載のラック設置ベース。
【請求項３】
前記支持枠の２本の斜辺部が隣接する２台のラックの底枠に対して斜めに配置される請求項２記載のラック設置ベース。
【請求項４】
前記支持枠の頂点部が隣接する２台のラックの前端を支持し、支持枠の底辺部が隣接する２台のラックの後端を支持する請求項３記載のラック設置ベース。
【請求項５】
前記脚部が支持枠の頂点部に設けられた第１脚部と、底辺部の両端に設けられた第２、第３脚部とを含む請求項１〜４のいずれか一項に記載のラック設置ベース。
【発明の詳細な説明】
【技術分野】
【０００１】
本発明は、ラックを支持する複数の架台を備えたラック設置ベースに関する。
【背景技術】
【０００２】
この種のラック設置ベースとして、従来、図４に示すように、床面上に複数の架台５１を並べ、各架台５１の上に電気機器収納用のラック１を支持する技術が知られている。特許文献１、２には、架台５１の支持枠５２を平面四角形に形成し、複数の架台５１をラック１の配列方向に連設したラック設置ベースが記載されている。
【先行技術文献】
【特許文献】
【０００３】
【特許文献１】特許第４４４２８７４号公報
【特許文献２】特開２００２−２９１１１６号公報
【発明の概要】
【発明が解決しようとする課題】
【０００４】
ところが、従来のラック設置ベースによると、図５に示すように、架台５１（実線で示す）の支持枠５２がラック１（鎖線で示す）の底枠２と同じ四角形に形成されているため、底枠２の前端に入出線用の通線穴３が設けられていたり、底枠２の左右両側に床板５の下側から冷気を取り入れるための通気穴４が設けられていたりした場合に、これらの穴３，４が支持枠５２によって塞がれ、機能しなくなるという問題点があった。
【０００５】
そこで、本発明の目的は、ラック底部の通線穴や通気穴を塞いでしまうことがないラック設置ベースを提供することにある。
【課題を解決するための手段】
【０００６】
上記課題を解決するために、本発明は次のようなラック設置ベースを提供する。
（１）ラックを支持する架台を備え、架台に平面三角形の支持枠と脚部とを設け、複数の架台が支持枠の底辺部を一列に並べ、支持枠の頂点部を互いに離間させた状態でラックの配列方向に連設されたことを特徴とするラック設置ベース。
【０００７】
（２）一つの架台が隣接する２台のラックを掛け持ちするように配置されることを特徴とするラック設置ベース。
【０００８】
（３）支持枠の２本の斜辺部が隣接する２台のラックの底枠に対して斜めに配置されることを特徴とするラック設置ベース。
【０００９】
（４）支持枠の頂点部が隣接する２台のラックの前端を支持し、支持枠の底辺部が隣接する２台のラックの後端を支持することを特徴とするラック設置ベース。
【００１０】
（５）脚部が支持枠の頂点部に設けられた第１脚部と、底辺部の両端に設けられた第２、第３脚部とを含むことを特徴とするラック設置ベース。
【発明の効果】
【００１１】
本発明のラック設置ベースによれば、架台の支持枠を平面三角形に形成したので、ラック底部の通線穴や通気穴を塞いでしまうおそれがなく、床下からの通線や冷気取り入れを支障なく行うことができるという効果がある。
【図面の簡単な説明】
【００１２】
【図１】本発明の一実施形態を示すラック設置ベースの斜視図である。
【図２】図１のラック設置ベースの架台を示す斜視図である。
【図３】架台の支持枠とラックの底枠とを示す平面図である。
【図４】従来のラック設置ベースを示す斜視図である。
【図５】従来の問題点を指摘する平面図である。
【発明を実施するための形態】
【００１３】
以下、本発明の実施形態を図面に基づいて説明する。図１に示すラック設置ベース１１は、ラック１を支持する複数の架台１２を備えている。各架台１２は、ラック１の配列方向に連続するように床面上に並設されている。ラック１の前面扉６側に位置する架台１２の前端は前連結杆１３によって相互に連結され、ラック１の背面側に位置する架台１２の後端が後連結杆１４によって相互に連結されている。
【００１４】
図２に示すように、架台１２には、ラック１を載せる支持枠１５と、支持枠１５を床面の上方に水平に保持する３本の脚部１６，１７，１８とが設けられている。支持枠１５は平面二等辺三角形に形成され、その頂点部１５ａに第１脚部１６が設けられ、底辺部１５ｂの両端に第２、第３脚部１７，１８が設けられている。脚部１６，１７，１８の下端にはアンカー穴１９が形成され、ここを通るアンカーボルト（図示略）によって架台１２が床面に固定される。
【００１５】
図３に示すように、ラック設置ベース１１の使用状態では、一つの架台１２（実線で図示）が隣接する２台のラック１（鎖線で図示）を掛け持ちするように配置される。そして、複数の架台１２が、支持枠１５の底辺部１５ｂを一列に並べ、支持枠１５の頂点部１５ａを互いに離間させた状態で、ラック１の配列方向に連設される。また、支持枠１５の頂点部１５ａは隣接する２台のラック１の前端を支持し、支持枠１５の底辺部１５ｂが両方のラック１の後端を支持し、支持枠１５の２本の斜辺部１５ｃ，１５ｄが両方のラック１の底枠２に対して斜めに配置される。
【００１６】
したがって、この実施形態のラック設置ベース１１によれば、架台１２の支持枠１５を平面三角形に形成したので、支持枠１５の頂点部１５ａがラック１の底枠２の前端に開設された通線穴３を塞ぐおそれがなく、また、支持枠１５の斜辺部１５ｃ，１５ｄが底枠２の左右に開設された通気穴４を塞ぐおそれもない。このため、ラック１の床板５下側からの通線や冷気の取り入れを支障なく行うことができる。また、この実施形態の架台１２は、従来の架台５１（図４参照）と比較し、１本少ない脚部１６，１７，１８を備えているため、アンカーボルトによる床面固定工事の工数を削減できるという利点もある。
【００１７】
なお、本発明は、上記実施形態に限定されるものではなく、以下に例示するように、発明の趣旨を逸脱しない範囲で、アクチュエータ部の構成を適宜に変更して実施することも可能である。
（１）図１に示すラック設置ベース１１において、両端に位置する架台１２の支持枠１５を平面直角三角形に形成し、ラック列両端からの飛び出し部分をなくすこと。
（２）図３に示すラック１とは異なり、通線穴３が底枠２の後部に設けられているラックの場合に、支持枠１５の頂点部１５ａがラックの後側に位置するように、複数の架台１２を前後逆向きに連設すること。
（３）必要に応じて、前後の連結杆１３，１４を省略すること。
【符号の説明】
【００１８】
１    ラック
２    底枠
３    通線穴
４    通気穴
１１    ラック設置ベース
１２    架台
１５    支持枠
１５ａ    頂点部
１５ｂ    底辺部
１５ｃ，１５ｄ    斜辺部
１６，１７，１８    脚部
【図１】
2014053377.tif 000003
【図２】
2014053377.tif 000004
【図３】
2014053377.tif 000005
【図４】
2014053377.tif 000006
【図５】
2014053377.tif 000007